(57)【要約】  永久磁石を有する三相同期機器の電磁トルクを制御するための方法で、この方法は機器の３つの相に供給される電流を測定すること、測定された３つの電流をパーク変換を用いて直軸電流成分（Ｉｄ）及び横軸電流成分（Ｉｑ）に転置すること、並びに横軸電流成分（Ｉｑ）に対する命令（Ｉｑ＿ｒｅｑ）を受け取ることを含む。直軸電流成分（Ｉｄ）が負の場合には、減磁制御モードが起動され、機器はこのモードにおいて前記機器の直軸電圧成分（Ｖｄ）及び横軸電圧成分（Ｖｑ）によって制御され、直軸電圧成分（Ｖｄ）及び横軸電圧成分（Ｖｑ）はパーク平面内で決定される。【選択図】図１
2015530059.tif 000002
【特許請求の範囲】
【請求項１】
永久磁石を有する三相同期機器の電磁トルクを制御するための方法であって、前記機器の３つの相に供給される電流を測定すること、三相システムの変換に基づいて前記３つの測定された電流を直軸電流成分（Ｉｄ）及び横軸電流成分（Ｉｑ）に転置すること、前記横軸電流成分（Ｉｑ）に対する設定点（Ｉｑ＿ｒｅｑ）を受け取ること、及び前記直軸電流成分（Ｉｄ）が負の場合、前記三相システムの前記変換に関連付けられた平面内で決定される前記機器の直軸電圧成分（Ｖｄ）及び横軸電圧成分（Ｖｑ）に基づいて、前記機器が制御される減磁制御モードを起動することを含み、前記同期機器の制御電圧の前記直軸成分（Ｖｄ）及び前記横軸成分（Ｖｑ）は同一の制御パラメータ（θ）に依存し、前記直軸電流成分（Ｉｄ）の値をゼロの近傍に維持して前記永久磁石の磁束による項が補償されることを可能にするように決定されることを特徴とする、方法。
【請求項２】
前記減磁制御モードは、前記直軸電流成分（Ｉｄ）が正又はゼロの値に戻るときに終了する、請求項１に記載の方法。
【請求項３】
前記同期機器は、前記三相システムの変換平面内の前記直軸と前記横軸との間で完全な対称性を有し、前記三相システムの変換平面内の各軸上の等価インダクタンス（Ｌｄ及びＬｑ）を等しくすることができる、請求項１又は２に記載の方法。
【請求項４】
前記制御電圧の前記直軸成分（Ｖｄ）及び前記横軸成分（Ｖｑ）は、好ましくは同一の最大振幅（Ｖｂａｔ）に比例し、正弦波による方法では、制御パラメータ（θ）に依存し、前記制御パラメータ（θ）は、
2015530059.tif 000018
の範囲内で変動する、請求項１から３のいずれか一項に記載の方法。
【請求項５】
前記直軸成分及び前記横軸成分は次の式
2015530059.tif 000019
によって表される、請求項４に記載の方法。
【請求項６】
前記三相システムの変換がパーク変換である、請求項１から５のいずれか一項に記載の方法。
【請求項７】
永久磁石を有する三相同期機器の電磁トルクを制御するためのシステム（１）であって、前記機器の３つの相に供給される電流を測定するための手段（２）、前記三相システムの変換に基づいて前記測定された３つの電流を直軸電流成分（Ｉｄ）及び横軸電流成分（Ｉｑ）に転置するための手段（３）、前記横軸電流成分（Ｉｑ）に対する設定点（Ｉｑ＿ｒｅｑ）を受け取るための手段（４）、及び前記直軸電流成分（Ｉｄ）が負の場合、前記三相システムの前記変換に関連付けられた平面内で決定される前記機器の直軸電圧成分（Ｖｄ）及び横軸電圧成分（Ｖｑ）に基づいて、前記機器が制御される減磁制御モードを起動するための制御手段（５）を備え、前記制御手段（５）は、同一の制御パラメータ（θ）であって、その直軸電圧成分（Ｖｄ）及び横軸電圧成分（Ｖｑ）が、前記横軸電流成分に対する前記設定点（Ｉｑ＿ｒｅｑ）と前記横軸電流成分（Ｉｑ）の値との間の差分に依存する、前記同一の制御パラメータ（θ）を決定するように適合された比例積分コントローラ（７）、及び前記制御パラメータに基づいて直軸電圧成分及び横軸電圧成分を決定するように適合されたモジュール（９）を備えることを特徴とする、システム。
【請求項８】
前記制御手段は、前記直軸電流成分（Ｉｄ）が負のときには、前記減磁制御モードを起動し、前記直軸電流成分（Ｉｄ）が正のときには、前記減磁制御モードを停止するように適合された起動モジュールを備える、請求項７に記載のシステム。
【請求項９】
前記直軸電流成分（Ｉｄ）及び前記横軸電流成分（Ｉｑ）を取得するため、前記測定した電流にパーク変換を適用するように適合された転置手段（３）を備える、請求項７又は８に記載のシステム。
【発明の詳細な説明】
【技術分野】
【０００１】
本発明は永久磁石を有する三相同期モータの電磁トルクを制御する方法に関し、より具体的には電圧が飽和したときのトルク制御に関する。
【背景技術】
【０００２】
電動自動車では、電気モータによって供給されるトルクは制御されなければならない。電気機器のトルクは機器を流れる電流に直接関連するため、この電流は正確な方法で制御されなければならない。
【０００３】
同期機器、特に永久磁石及び軸フラックスを有する三相同期機器では、三つの固定子相の電流は正弦波でそれぞれ２π／３ラジアンずつずれている。これらの電流は電気機器内に回転磁場を生成する。回転子は、例えば、１〜５対の極を有する永久磁石で構成されている。方位磁石と同様に、回転子は当然ながら回転子によって作られる回転磁場の方向に揃う。したがって、回転子の回転周波数は、固定子電流の周波数に等しくなる（同期する）。固定子電流の振幅及び回転子磁石の力は、機器の回転に必要となるトルクの生成を担っている。正弦波電圧は、それぞれ２π／３ラジアンずつずれているため、これらの電流を制御するためには、固定子の各相に印加されなければならない。
【発明の概要】
【０００４】
一般的に、正弦波信号よりも一定の値に制御を加えるほうが単純である。パーク変換は一般的に、等価な回転参照フレーム内での配置を目的として、三相システムを２次元空間へ射影するために使用される。この方法では、三相システムの３つの相に関連する３つの正弦波電流及び３つの正弦波電圧は、３つの正弦波電流又は電圧信号が２つの一定の電流又は電圧信号（直軸Ｘｄ上の１成分と横軸Ｘｑ上の１成分）の形で表現される空間に転置可能である。このため、パーク変換は回転磁場にリンクしている参照フレームに基づいており、同期機器の場合には、回転子にリンクしている参照フレームに基づいている。
【０００５】
パーク空間内で表される電流及び電圧と連動することにより、制御対象の三相機器を調整するため、正弦波信号ではなく一定の電流又は電圧で動作することが可能になる。
【０００６】
逆変換を実施することにより、機器の通常の参照フレームに戻ることが可能になり、その結果、機器の各相にどの電流又は電圧が印加されるかを正確に知ることができる。
【０００７】
バッテリを三相電気機器の電源として使用することにより、印加されうる電圧がバッテリの容量によって制限されるという点で、付加的な制約が課せられる。実際に、これらの制限により幾つかの設定点を実現することが不可能になる。到達可能空間外の設定点は一般的に不安定をもたらす。
【０００８】
目的は、電圧が制限される場合でも、機器が制御される間には機器内の電流の安定性を確保することにある。これらの制約によって、設定点に到達不可能な場合には、目的は可能な限り設定点に近づくこととなる。
【０００９】
米国特許第３，８５１，２３４号は、トルクを提供するモータの速度を低減することによって、磁気飽和を防止する方法について記載している。
【００１０】
米国特許第５，０１５，９３７号は、飽和を防止するためデータテーブルにより、オープンループモードにある巻線形回転子同期機器を制御する方法について記載している。
【００１１】
米国特許第６，１８１，０９１号は、モータの各ブランチに電圧を供給する位相幅変調モジュールの動作を変更することによって飽和が防止される永久磁石により、同期機器を制御する方法について記載している。
【００１２】
これらの公知の制御方法では、電圧の飽和を防止するため、とりわけパーク空間内の電流成分を直接制御することによって、同期機器で利用可能な電磁トルクが低減される。
【００１３】
実際には、対応する直軸電流成分のマップは通常、横軸電流成分の制御を維持するために算出され、それによって横軸成分に対する設定点が実現可能となる。この方法には、電流マップの調整過程が実行されなければならないという欠点がある。しかも、所定の電磁トルクに対して最適な電流が得られることを保証する方法はない。これは、電圧飽和状態が発現しないことを保証するため、このマッピング方法により、直軸電流成分の値によって安全マージンが提供されるからであり、言い換えるならば、機器の効率の損失に対してシステムの制御における飽和のリスクを回避するため、直軸電流成分は必要以上に低減されるからである。
【００１４】
この直軸電流成分の低下は、電圧の低下を意味し、したがって、利用可能な電磁トルクの減少を意味する。
【００１５】
本発明は、電圧が飽和した状態で同期機器が高速で動作しているときに、永久磁石を有する同期機器の電磁トルクを制御する方法を提供することを提示している。
【００１６】
本発明の一態様に従い、一実施形態は永久磁石を有する三相同期機器の電磁トルクを制御するための方法を提示しており、この方法は機器の３つの相に供給される電流を測定すること、測定された３つの電流を三相システムの変換に基づいて直軸電流成分及び横軸電流成分に転置すること、並びに横軸電流成分に対する設定点を受け取ることを含む。
【００１７】
本発明の一特徴に従い、直軸電流成分が負の場合には、減磁制御モードが起動され、機器はこのモードにおいて前記機器の直軸電圧成分及び横軸電圧成分に基づいて制御され、直軸電圧成分及び横軸電圧成分は三相システムの変換に関連付けられた平面内で決定される。
【００１８】
三相システムの変換はパーク変換であってもよい。また、フォーテスキュー（Ｆｏｒｔｅｓｃｕｅ）変換、クラーク変換、或いはクー変換であってもよい。
【００１９】
パーク空間では、制御されるシステムは、同期機器のパーク平面（直軸及び横軸）の２つの軸に印加される直軸電圧成分及び横軸電圧成分を含み、２つの電圧成分は同期機器の直軸電流成分及び横軸電流成分の関数として表され、２つの電流成分はパーク平面の２つの軸に印加される。同期機器の回転子が高速で動作するときには、直軸電流成分は負の値を有し、補償されない場合には損失を引き起こす。
【００２０】
減磁制御モードは、永久磁石の磁束による項を補償することが可能で、これは回転子の回転速度に比例し、磁石の磁束は一定であるため、高速になると無視できなくなる。磁束による項は、機器の電磁力とも呼ばれるが、補償が必要となるゆらぎをもたらす高速で回転する同期機器の電圧制御により、磁束によるゆらぎを常に最大限まで補償することができる。
【００２１】
有利には、減磁制御モードは、直軸電流成分が正又はゼロの値にも戻ると終了する。
【００２２】
同期機器は、有利には、三相システムの変換平面内の直軸と横軸との間で完全な対称性を有し、三相システムの変換平面内の各軸上の等価インダクタンスを等しくすることができる。
【００２３】
好ましくは、同期機器の制御電圧の直軸成分及び横軸成分は同一の制御パラメータに依存し、直軸電流成分の値をゼロ近傍に維持するように決定され、永久磁石の磁束による項が補償されるようにすることができる。
【００２４】
直軸電流成分が負の値を有する場合には、この成分は機器に対する損失を表す。この損失を最小限に抑えるため、この直軸電流成分は取りうる最低の値に維持されなければならないが、一方、回転子の永久磁石によって生成される磁束による項に対応する電磁力を補償するため、前記直軸電流成分の値は十分なレベルに保たなければならない。
【００２５】
制御電圧の直軸成分及び横軸成分は、好ましくは同一の最大振幅に比例し、正弦波による方法では、制御パラメータ（θ）に依存し、制御パラメータ（θ）は、例えば、
2015530059.tif 000003
の範囲内で変動する。より一般的には、制御パラメータ（θ）は、π以下の振幅範囲内で変動する。
【００２６】
別の態様によれば、永久磁石を有する三相同期機器の電磁トルクを制御するためのシステムは、一実施形態で提示されており、機器の３つの相に供給される電流を測定するための手段、３つの測定した電流をパーク変換に基づいて直軸電流成分及び横軸電流成分に転置するための手段、及び横軸電流成分に対する設定点を受け取るための手段を含み、直軸電流成分が負の場合、機器が直軸電圧成分及び横軸電圧成分に基づいて制御される減磁制御モードを起動するように適合された制御手段を備え、直軸電圧成分及び横軸電圧成分がパーク平面内で決定されることを特徴とする。
【００２７】
有利には、制御手段は、直軸電流成分が負のときには、減磁制御モードを起動し、直軸電流成分が正のときには、減磁制御モードを停止するように適合された起動モジュールを備えうる。
【００２８】
好ましくは、制御手段は、横軸電流成分に対する設定点と横軸電流成分の値との間の差分に基づいて、直軸電圧成分及び横軸電圧成分に関連付けられた同一制御パラメータを決定するように適合された比例積分コントローラ、並びに制御パラメータに基づいて直軸電圧成分及び横軸電圧成分を決定するように適合されたモジュールを備える。
【００２９】
制御システムは、直軸電流成分及び横軸電流成分を取得するため、測定した電流にパーク変換を適用するように適合された転置手段を備えうる。
【００３０】
本発明の他の特徴及び利点は、いかなる意味でも限定的ではない一実施形態の詳細な記載及び下記の添付図面を参照することにより、明らかになるであろう。
【図面の簡単な説明】
【００３１】
【図１】一実施形態による同期機器の電磁トルクを制御するための方法のフロー図を示す。
【図２】本発明の一実施形態による同期機器の電磁トルクを制御するためのシステムを概略的に示す。
【発明を実施するための形態】
【００３２】
図１は、本発明の一実施形態による、端子での電圧が飽和するときに同期機器の電磁トルクを制御するための方法のフロー図を示している。
【００３３】
第１のステップ１１０では、永久磁石を有する三相同期機器の３つの各相に対して電流が測定される。
【００３４】
第２のステップ１２０では、直軸電流成分Ｉｄ及び横軸電流成分Ｉｑを得るため、３つの測定された電流に対してパーク変換が適用される。
【００３５】
パーク空間内では、同期機器に対して管理される連立方程式は次のようになる。
2015530059.tif 000004
ここで、Ｖｄ及びＶｑは２つの軸、すなわち機器のパーク平面内の直軸及び横軸にそれぞれ印加される電圧で、Ｉｄ及びＩｑは２つの軸、すなわちパーク平面内の直軸及び横軸それぞれの上で機器内を流れる電流で、Ｒｓは機器の固定子の等価抵抗で、Ｌｄ及びＬｑは機器のパーク平面内の直軸及び横軸それぞれの上でのインダクタンスで、ωｒは機器の磁場の回転速度（すなわち、回転子の回転速度に機器の極の対の数を乗じた値）、さらにφｆは回転子磁石によって生成される磁束である。
【００３６】
電圧Ｖｄ及びＶｑはバッテリ式インバータによって生成される。したがって、満たされるべき制約条件は次にようになる。
2015530059.tif 000005
ここでＶｂａｔは、バッテリがインバータ及びチョッパに供給する電圧である。
【００３７】
目的は、既知の速度範囲で同期機器に対して可能となる最高の効率で、また高速でより正確に電磁トルクを生成することである。モータが高速で回転するときには、機器の制御電圧は飽和し、パーク平面内の直軸電流成分Ｉｄは負となる。
【００３８】
そのため、直軸電流成分が負の値かどうかを判断するため、ステップ１３０でチェックが行われる。パーク空間内の直軸電流成分Ｉｄが負の値を有する場合には、ステップ１４０で減磁制御モードが起動される。
【００３９】
同期機器によって生成される電磁トルクは次の式に基づいて算出可能である。
Ｃｅｍ＝ｐ（φｄＩｑ−φｑＩｄ）                  （３）
ここで、Ｃｅｍは機器によって生成される電磁トルクで、ｐは機器の回転子の極の対の数で、φｄ及びφｑは機器の直軸及び横軸それぞれの上で生成される磁束成分で、次の形式で表される。
φｄ＝ＬｄＩｄ＋φｆ    及び    φｑ＝ＬｑＩｑ        （４）
【００４０】
この場合、同期機器はパーク空間の直軸と横軸との間に完全な対称性を有する。これにより、Ｌｄ＝Ｌｑという注目すべき特性が与えられ、その結果、次のように記述することができる。
Ｃｅｍ＝ｐφｆＩｑ          （５）
【００４１】
したがって、この種の機器では、電磁トルクに寄与するのは横軸成分Ｉｑだけであるため、直軸電流成分Ｉｄによって発生するジュール損失を最小限に抑えつつトルクを制御するには、直軸電流成分Ｉｄを可能な限りゼロに近づけるように設定しなければならない。
【００４２】
本発明はＬｄ＝Ｌｑの場合にも適用可能であるが、ＬｄがＬｑよりも大きい場合には、一定のトルクを供給するため、横軸成分Ｉｑの設定点は存在する直軸電流成分Ｉｄの関数として訂正されなければならない。この場合、これは直軸電流成分Ｉｄが負になることが原因であり、機器によって生成されるトルクの減少を引き起こす。したがって、直軸電流成分Ｉｄを可能な限りゼロに近づけることによって、トルクの損失を最小にすることができる。
【００４３】
高速では、電磁力と呼ばれる項ωｒφｆは永久磁石の磁束によって、補償しなければならないほど大きくなるため、直軸電流成分Ｉｄを完全に打ち消すことはできない。最適な操作は、次のように利用しうるすべての電圧の使用を要求する。
2015530059.tif 000006
【００４４】
Ｖｄ及びＶｑは、次の変換によって算出される制御変数θを用いることによって表される。
2015530059.tif 000007
【００４５】
高速での定常状態条件における電流は、次の形式で表される。
2015530059.tif 000008
【００４６】
高速では、Ｒｓ＜＜ωｒＬｄ＝ωｒＬｑにより、方程式（８）は次のように表すことができる。
2015530059.tif 000009
【００４７】
磁束は一定であるため、制御の役割を果たさない。したがって、これはゆらぎとして理解される。したがって、方程式（７）に基づいて、一定の高速条件では、次のようになることがわかる。
2015530059.tif 000010
ここで、
2015530059.tif 000011
且つ
2015530059.tif 000012
且つ
2015530059.tif 000013
且つ
2015530059.tif 000014
である。
【００４８】
高速では、もはや電磁力を完全に補償することはできず、そのため
2015530059.tif 000015
となり、
2015530059.tif 000016
であるため、結果的にＧｄ＜ｐｅｒｔｕｒｂａｔｉｏｎｄ且つＧｑ＞ｐｅｒｔｕｒｂａｔｉｏｎｑであることを示している。
【００４９】
次にステップ１４０で減磁制御モードを起動することにより、
2015530059.tif 000017
の範囲内で変化する制御パラメータθ基づいて、モータの電圧制御がステップ１５０で行われる。この範囲内で制御パラメータθを変えることにより、横軸電流成分Ｉｑは正と負の領域内で変化するようになり、これにより同期機器をモータモードと発電機モードで動作させ、一方でｐｅｒｔｕｒｂａｔｉｏｎｄの項に対して最大の補償をもたらし、これによりジュール損失を引き起こす直軸成分Ｉｄを制限する。したがって、同期機器は最大の電磁トルクを得ることを可能にする飽和電圧で維持され、一方で電流は、制御パラメータθを介した機器の電圧制御の手段によって制御される。
【００５０】
直軸電流成分Ｉｄが負でなくなったかどうかを判断するため、ステップ１６０でチェックが行われる。依然として負の場合には、同期機器は制御パラメータθに基づいて引き続き電圧が制御される。制御パラメータθが使用される場合、横軸電流成分Ｉｑを増やすためには、機器によって取得可能な最大出力を実現するように、制御パラメータθは最大値π／２まで増やさなければならず、直軸電流成分Ｉｄは制御パラメータθが増加するにつれて自動的に減少する。反対に、横軸電流成分Ｉｑを減らすためには、最大電磁トルクを実現するように、制御パラメータθは最小値−π／２まで減らさなければならない。したがって、本発明により直軸電流成分Ｉｄの自動適合がもたらされる。
【００５１】
しかしながら、直軸電流成分が負でなくなると直ちに、減磁制御モードはステップ１７０で終了する。図２は、本発明の一実施形態による永久磁石を有する三相同期機器の電磁トルクを制御するためのシステムを示す。
【００５２】
永久磁石を有する三相同期機器の電磁トルクを制御するためのシステム１は、機器の３つの相に供給される電流Ｉ１、Ｉ２、Ｉ３を測定するための手段２を備える。これらの測定手段２は、測定した３つの電流をパーク変換に基づいて直軸電流成分Ｉｄ及び横軸電流成分Ｉｑに転置するための転置手段３に結合されている。制御システムはまた、横軸電流成分Ｉｑに対する設定点Ｉｑ＿ｒｅｑを受け取るための手段４を備える。
【００５３】
制御システム１は、入力で直軸電流成分Ｉｄを受け取り、直軸電流成分Ｉｄが負のとき、前記機器のパーク空間で機器が直軸電圧成分及び横軸電圧成分に基づいて制御される減磁制御モードを起動するように適合されている、起動モジュール６を含む制御手段５を備える。
【００５４】
制御手段５は、同一の制御パラメータであって、その直軸電圧成分及び横軸電圧成分が、減算器８によって計算される、横軸電流成分に対する設定点Ｉｑ＿ｒｅｑと横軸電流成分Ｉｑの値との間の差分に依存する、同一制御パラメータを決定するように適合された比例積分コントローラ７を備える。制御手段はまた、制御パラメータθに基づいて、直軸電圧成分Ｖｄ及び横軸電圧成分Ｖｑを決定するように適合されたモジュール９を備える。
【００５５】
したがって、本発明は、電圧が飽和した状態で同期機器が高速で動作しているときに、同期機器内の電流を安定に保ちつつ、永久磁石を有する同期機器の電磁トルクを制御することを可能にする。
【図１】
2015530059.tif 000020
【図２】
2015530059.tif 000021
【国際調査報告】
2015530059.tif 000022
2015530059.tif 000023
2015530059.tif 000024
2015530059.tif 000025